(57)【特許請求の範囲】
【請求項１】
ロボット本体に接触する外部環境からの外力に基づいてロボット本体をインピーダンス制御するロボットにおいて、
ロボット本体と外部環境との接触位置近傍に設けられ、前記外部環境がロボット本体に作用する外力を検出する第一の力覚センサと、
ロボット本体と外部環境との接触位置近傍に設けられ、前記外部環境とロボット本体との相対位置変化を検出する変位検出センサと、
前記ロボット本体と外部環境との接触位置と異なる外部環境の第二の外力作用位置に設けられ、当該第二の外力作用位置に作用する外力を検出する第二の力覚センサとを備えてなり、
前記第二の力覚センサからの出力値を重力作用方向におけるロボット本体と外部環境との相対位置変化とし、第一の力覚センサからの外力と、前記変位検出センサからの水平方向の相対位置変化とを用いてロボット本体をインピーダンス制御するようにしたロボット。
【発明の詳細な説明】
【技術分野】
【０００１】
本発明は、人間と協働作業を行うロボットに関し、より詳しくは、インピーダンス制御によって制御されるロボットに関するものである。
【背景技術】
【０００２】
近年のロボットには、産業用ロボットなどの他に、人間との協働作業によって重量運搬物を移動できるようにしたロボットや、或いは、手足の不自由な被介護者の腕を支えて人間の自由な動きを補助できるようにしたロボットなどが存在している。このような人間との協働作業を行うロボットは、一般的に、インピーダンス制御方法によって制御される（特許文献１）。このインピーダンス制御方法は、あたかも人間の動きに対してバネやダンパーを介してロボット本体を追従させるようにしたものであり、人間が重量物を持った際にはその重量物の重みに応じて重い動きをし、また、軽い物を持った際にははその軽さに応じた軽い動きをできるように制御するものである。具体的には、このインピーダンス制御は、人間の肢体や重量運搬物などとロボット本体との接触部分に変位検出センサや力覚センサを設けておき、この変位検出センサによって検出される外部環境（すなわち、人間の腕や重量運搬物など）の位置をｐ０、力覚センサによって検出された外部環境からの外力をＦとした場合に、
【０００３】
Mｐ"＋Dｐ'＋K(ｐ−ｐ0)＝Ｆ
【０００４】
となる関係式を満たすようにアームを駆動させるようにしたものである。なお、ここで、ｐ、ｐ’、ｐ"はそれぞれ算出対象となるロボットアームの先端の位置、速度、加速度である。また、Ｍはインピーダンス特性における慣性係数、Ｄはインピーダンス特性における粘性係数、Ｋはインピーダンス特性における剛性係数であり、あらかじめ設定されているものである。なお、これらの各パラメータはそれぞれ三次元ベクトルを示している。
【特許文献１】特開２００４−３５８５７５号公報
【発明の開示】
【発明が解決しようとする課題】
【０００５】
ところで、このようなインピーダンス制御方法を用いてロボット本体を制御する場合、次のような問題が生じる。すなわち、インピーダンス制御においては、ロボット本体と外部環境との接触部分に変位検出センサや力覚センサなどを設けるようにしているが、この変位検出センサに関しては、ｚ方向、すなわち、重力が作用する方向に人間の腕や重量運搬物を支持しておかなければならない関係上、その振れ幅を大きくすることができない。このため、ｚ方向に関しては、変位検出センサの検出幅を小さくするとともに力覚センサへの依存度を高くしてアームを駆動させるようにしている。ところが、このように力覚センサへの依存度を高くすると、アームに人間の腕や重量運搬物を支持させただけで、その荷重を検出し、あたかも人間が意図的に腕を下げようと力を付与した場合と同じようにアームを下げてしまうことになる。このため、ロボットの力を利用して腕を上方へ持ち上げようとしても、逆にその腕が下方へ下げられてしまうといった問題を有していた。
【０００６】
そこで、本発明は上記課題に着目してなされたもので、人間の腕や重量運搬物などをロボットでインピーダンス制御する場合、それらの重量物をロボット本体に保持させた場合であっても、その重量によってアームを下方に駆動させることなく、人間の意思に沿った方向にアームを駆動させることのできるようにしたロボットを提供することを目的とするものである。
【課題を解決するための手段】
【０００７】
すなわち、本発明は上記課題を解決するために、ロボット本体に接触する外部環境からの外力に基づいてロボット本体をインピーダンス制御するロボットにおいて、ロボット本体と外部環境との接触位置近傍に設けられ、前記接触物がロボット本体に作用する外力を検出する第一の力覚センサと、ロボット本体と外部環境との接触位置近傍に設けられ、前記接触物とロボット本体との相対位置変化を検出する変位検出センサと、前記ロボット本体と外部環境との接触位置と異なる外部環境の第二の外力作用位置側に設けられ、当該第二の外力作用位置に作用する外力を検出する第二の力覚センサとを備えてなり、前記第二の力覚センサからの出力値を重力作用方向におけるロボット本体と外部環境との相対位置変化とし、第一の力覚センサからの外力と、前記変位検出センサからの水平方向の相対位置変化とを用いてロボット本体をインピーダンス制御するようにしたものである。
【０００８】
このように構成すれば、人間の腕などをロボット本体に保持させることにより第一の力覚センサが下向きに作用する外力を検出した場合であっても、第二の力覚センサが人間の手先による上向きに作用する外力を検出した場合には、人間が意図して下向きに外力を加えたのではないことが判るため、アームを下降させないように制御することができる。これにより、人間の意思に沿った方向にスプーンなどの移動対象物を移動させることができる。さらに、例えば、人間の手側に設けられた第二の力覚センサからの出力値を所定の係数で除することによって重力作用方向の変位量を推定し、この推定値を用いてインピーダンス制御するようにすれば、変位検出センサにおける重力作用方向の振れ幅を小さくして人間の腕を支持させた場合であっても、的確にロボット本体をインピーダンス制御することができるようになる。
【発明の効果】
【０００９】
本発明では、ロボット本体に接触する外部環境からの外力に基づいてロボット本体をインピーダンス制御するロボットにおいて、ロボット本体と外部環境との接触位置近傍に設けられ、前記接触物がロボット本体に作用する外力を検出する第一の力覚センサと、ロボット本体と外部環境との接触位置近傍に設けられ、前記接触物とロボット本体との相対位置変化を検出する変位検出センサと、前記ロボット本体と外部環境との接触位置と異なる外部環境の第二の外力作用位置側に設けられ、当該第二の外力作用位置に作用する外力を検出する第二の力覚センサとを備えてなり、前記第二の力覚センサからの出力値を重力作用方向におけるロボット本体と外部環境との相対位置変化とし、第一の力覚センサからの外力と、前記変位検出センサからの水平方向の相対位置変化とを用いてロボット本体をインピーダンス制御するようにしたので、人間の腕などをロボット本体に保持させることにより第一の力覚センサが下向きに作用する外力を検出した場合であっても、第二の力覚センサが人間の手先による上向きに作用する外力を検出した場合には、人間が意図して下向きに外力を加えたのではないことが判るため、アームを下降させないように制御することができる。これにより、人間の意思に沿った方向にスプーンなどの移動対象物を移動させることができる。さらに、例えば、人間の手側に設けられた第二の力覚センサからの出力値を所定の係数で除することによって重力作用方向の変位量を推定し、この推定値を用いてインピーダンス制御するようにすれば、変位検出センサにおける重力作用方向の振れ幅を小さくして人間の腕を支持させた場合であっても、的確にロボット本体をインピーダンス制御することができるようになる。
【発明を実施するための最良の形態】
【００１０】
以下、本発明の一実施の形態について図面を参照しながら説明する。図１及び図２は、本実施の形態におけるロボット１の異なる使用形態を示したものであり、図１は、ロボット本体１０に人間の腕を支持させてスプーンなどの移動対象物を操作できるようにした状況を示したものである。また、図２は、ロボット本体１０のアーム１１に机などの重量運搬物の一端を保持させ、他端側を人間に保持させて協働で重量運搬物を運搬する状態を示したものである。そして、図３は、そのロボット本体１０のアーム１１の先端１１ａに取り付けられる検出機構１２のであって、人間の腕や机などから直接作用する外力や変位を検出する機構を示したものである。また、図４は、図３の切欠断面図を示したものであり、図５は、人間の腕を保持する保持部材１３を変位させて変位を検出する状態を示したものである。
【００１１】
第一の使用形態（図１）や第二の使用形態（図２）におけるロボット１は、ともにロボット本体１０と、このロボット本体１０と分離して設けられた手袋などに取り付けられた第二の力覚センサ１７ａと、このロボット本体１０を制御するインピーダンス制御装置２０とからなる。このロボット本体１０は、複数のアーム１１と、これらのアーム１１を駆動する図示しないアクチュエータとを備えてなり、更に、アーム１１の先端１１ａに、人間の腕や机などの外部環境との相対的な変位や外部環境から作用する外力を検出する検出機構１２を備えている。そして、さらに、人間の手によってスプーンや机などに作用する外力を検出する第二の力覚センサ１７ａを設け、これらの変位や外力によってインピーダンス制御装置２０でロボット本体１０を制御できるようにしている。
【００１２】
このロボット本体１０の構成について詳細に説明すると、アーム１１の先端１１ａに設けられる検出機構１２は、人間の腕を保持する保持部材１３と、この保持部材１３を載置するケーシング１４とを備えて構成される。このケーシング１４の内部には、図４に示すようなジョイスティック状の変位検出センサ１５が設けられており、また、このケーシング１４とアーム１１の先端１１ａとの間には第一の力覚センサ１７が設けられている。
【００１３】
この保持部材１３は、図１および図５に示すように、人間の腕を上から載置できるようにした湾曲部材１３ａを備えている。この湾曲部材１３ａは、常に上側を開放させた状態となっており、これによって人間の腕を簡単に上から自由に載置できるようにしている。これによって、ロボット１が不安定な動きをした場合であっても簡単に人間の腕を取り外させるようにして使用者に安堵感を与えられるようにしている。この保持部材１３は、下向きＵ字状に構成された架橋部材１３ｅを介してベース部材１３ｂに固定される。
【００１４】
このベース部材１３ｂは、図３に示すように、平面円板状に構成されるもので、その中央部分に、円形の第一窓部１３ｃを設けている。この第一窓部１３ｃは、変位検出センサ１５のスティック１５ａを突出させた状態で摺動可能に保持するもので、その内側に、十文字状に交叉する二本の線材１３ｄを設け、これにスティック１５ａの中央に設けられた十文字状の切欠溝１５ｂを通し込むように保持している。なお、このようにスティック１５ａを線材１３ｄに嵌め合わせるだけの構成であると、平面状のベース部材１３ｂがスティック１５ａから抜け外れる可能性があるため、この実施の形態では、図５に示すように、切欠溝１５ｂの奥方にコイルスプリング１５ｃを取り付けておき、これを線材１３ｄに取り付けてベース部材１３ｂの抜けを防止するようにしている。但し、このコイルスプリング１５ｃの弾性力が大きすぎると、人間が腕を動かす際に大きな力が必要となってしまい、腕の不自由な人間に無理な力を強要してしまうことになる。このため、バネによる弾性力は可能な限り小さくするのが好ましい。勿論、このような抜けを防止するためには、コイルスプリング１５ｃだけでなく、切欠溝１５ｂの上端部分を塞ぐなどの構成を採用するようにしてもよい。
【００１５】
また、このベース部材１３ｂの下面には、その下方に設けられたスペーサ１４ａとの摩擦を低減させるための摩擦低減手段１６が設けられている。この摩擦低減手段１６は、フッ素を配合した樹脂やベアリングなどによって実現される。
【００１６】
この円形のベース部材１３ｂの下方に設けられるスペーサ１４ａは、ケーシング１４の上面に独立して取り付けられ、その中央に第二窓部１４ｂを設けている。この第二窓部１４ｂは、スティック１５ａがその内側で傾動できるような大きさに設けられており、また、その境界部分には、衝撃緩和部材１４ｃが設けられている。この衝撃緩和部材１４ｃは、スティック１５ａが第二窓部１４ｂに接触した際に激力を生じないようにするもので、その激力の発生を防止することによってロボット本体１０の不安定な動きを防止できるようにしている。この衝撃緩和部材１４ｃは、ゴムやウレタン、スポンジなどのような比較的柔らかい素材によって構成される。
【００１７】
ケーシング１４は、変位検出センサ１５の筐体を構成するもので、その内部にスティック１５ａの傾動角度を検出するためのジョイスティックなどの機構を設けている。このスティック１５ａが傾動すると変位検出センサ１５によってその傾動角度が検出され、その出力値がインピーダンス制御装置２０に出力される。この変位検出センサ１５は、本来、スティック１５ａのｘ、ｙ、ｚ方向の変位量を検出するものであるが、この実施の形態では、スペーサ１４ａによってベース部材１３ｂのｚ方向の変位が規制されているので、ｘ、ｙ方向のみの変位を検出する。
【００１８】
また、このケーシング１４の下方、すなわち、アーム１１の先端１１ａとケーシング１４との間には、図１に示すように、第一の力覚センサ１７が設けられる。この第一の力覚センサ１７は、保持部材１３から作用する外力を検出するもので、ｘ、ｙ、ｚ方向の外力や、ｘ軸方向、ｙ軸方向、ｚ軸方向のトルクを検出する。
【００１９】
また、この第一の力覚センサ１７だけでは、人間の腕を載せただけでｚ方向（重力作用方向）に荷重が加わってしまい、故意に人間が腕を下げた場合と同様にアーム１１を下方へ駆動させてしまう。このため、本実施の形態では、人間の指の先端に手袋１７０などを介して第二の力覚センサ１７ａを取り付け、この第二の力覚センサ１７ａの出力値によって人間の意思に沿った方向にアーム１１を駆動させるようにしている。この第二の力覚センサ１７ａは、手袋１７０の各指の先端部分に取り付けられる感圧フィルムなどによって構成され、図示しない出力線を介してその検出値をインピーダンス制御装置２０に出力する。このような手袋１７０を装着して机などを持ち上げる場合、通常は、人差指から小指までの４本の指を下側にして移動対象物を持ち上げようとするため、下側の感圧値が大きくなり、逆に上側の感圧値が小さくなる。このため、上下の感圧フィルムの出力値の差分をとれば、人間が移動対象物を持ち上げようとしているのか、下げようとしているのかを判断することができる。この第二の力覚センサ１７ａによって検出された外力は、変位検出センサ１５におけるｚ方向の変位の代替値として用いられる。一般的に、第二の力覚センサ１７ａによって検出された外力は、所定の比例係数に変位値を積算したものであるため、その第二の力覚センサ１７ａによって上向きの外力が検出された場合は、その外力を比例係数で除することによってｚ方向の変位を推定することができる。そこで、この値をｚ方向の変位として用いる。
【００２０】
このような変位検出センサ１５や第一の力覚センサ１７、第二の力覚センサ１７ａによって検出された変位や外力は、インピーダンス制御装置２０に出力され、そこで、アクチュエータ駆動用の信号が生成される。このインピーダンス制御装置２０の構成および制御方法について説明する。
【００２１】
インピーダンス制御装置２０は、パーソナルコンピュータやサーボドライバなどを具備してなるもので、内蔵するＣPＵやメモリなどを用いて、図６に示すような変位検出手段２１、外力検出手段２２、パラメータ設定手段２３、演算手段２４、制御手段２５を機能させる。
【００２２】
このうち変位検出手段２１は、変位検出センサ１５からの信号に基づいて保持部材１３の水平方向の変位を検出する。この検出に際しては、スティック１５ａの傾動角度を検出し、それに基づいてスティック１５ａ先端の水平方向の変位量、
【００２３】
Δpx＝Ｄ／tanθx  （式１）
【００２４】
Δpy＝Ｄ／tanθy  （式２）
【００２５】
を演算する。ここでＤはスティック１５ａの基端とベース部材１３ｂまでの高さ（一定値）であり、θxはｘ軸方向に対するスティック１５ａの傾動角度、θyはｙ軸方向に対する傾動角度である。また、ｚ方向の変位については、第二の力覚センサ１７ａの検出値を比例係数で除することによって算出する。これによりスティック１５ａ先端の座標pR0は、
【００２６】
ｘ軸方向；pR0x＝Δpx＋px      （式３）
【００２７】
ｙ軸方向；pR0y＝Δpy＋py      （式４）
【００２８】
ｚ軸方向；pR0z＝Δpz＋pz      （式５）
【００２９】
となる。ここで、px、py、pzはアーム１１の先端１１ａのｘｙｚ座標の初期位置、もしくは、インピーダンス制御中に求められるアーム１１の先端１１ａの座標位置である。
【００３０】
外力検出手段２２は、アーム１１の先端１１ａに設けられた第一の力覚センサ１７からの信号に基づいて外部環境の外力を検出する。この外力の検出を検出する際は、あらかじめサンプリング時間を設定し、このサンプリング時間毎に第一の力覚センサ１７の信号を読み出して、ｘ軸方向、ｙ軸方向、ｚ軸方向の外力ＦHi（ｉ＝ｘ、ｙ、ｚ）を検出する。この第一の力覚センサ１７で検出できる外力の閾値は、ノイズの影響によるロボット１の誤動作を防止できる程度の大きさに設定される。
【００３１】
パラメータ設定手段２３は、インピーダンス制御に用いられる慣性係数ＭR、粘性係数ＤR、剛性係数ＫR（ＭR、ＤR、ＫRは３×３行列）のパラメータを設定するもので、ロボット１の手先の運動としてより適した値になるように設定される。
【００３２】
演算手段２４は、変位検出手段２１によって検出されたスティック１５ａの先端、正確には第一窓部１３ｃの中心位置の座標位置pR0および外力検出手段２２によって検出された外力ＦHを入力値とし、また、パラメータ設定手段２３によって設定された慣性係数ＭR、粘性係数ＤR、剛性係数ＫRを用いてアーム１１の先端１１ａの位置pR（px、py、pz）、速度pR’（p'x、p'y、p'z）、加速度pR"（p"x、p"y、p"z）を演算する。この演算は、インピーダンス特性の微分方程式（式６）を用いて行われる。
【００３３】
ＭRpR"＋ＤRpR'＋ＫR (pR−pR0)＝ＦH      （式６）
【００３４】
そして、この（式６）を解く際、まずアーム１１の関節角度などからアーム１１の先端１１ａの位置pRを演算し、この（式６）を
【００３５】
pR"＝｛ＦH−ＤRpR'−ＫR (pR−pR0)｝／ＭR      （式７）
【００３６】
の形に書き換え、さらにルンゲクッタ法などの数値積分によってアーム１１の先端１１ａの動作速度pR'を求める。初期状態では、アーム１１の先端１１ａの動作速度pR'、加速度pR"はゼロとなっているので、微少時間ごとに数値積分によって指令速度を求めることができる。
【００３７】
制御手段２５は、このように算出された速度pR’に関する信号をサーボドライバを介してアクチュエータに出力し、フィードバック制御によってこの算出された位置pRにアーム１１の先端１１ａを移動させるように制御する。
【００３８】
次に、ロボット１の制御方法について図７の制御線図を用いて説明する。
【００３９】
まず、ロボット１を制御するに際して、あらかじめ、パーソナルコンピュータの入力手段などを用いてインピーダンス制御の際の慣性係数ＭR、粘性係数ＤR、弾性係数ＫRを設定しておく。そして、この状態で保持部材１３に人間の腕を載置し、パーソナルコンピュータからの指令によって、サンプリング時間毎に変位検出センサ１５の変位量および第一の力覚センサ１７、第二の力覚センサ１７ａの外力を検出する。そして、変位検出センサ１５に基づくｘ方向、ｙ方向の変位量や第二の力覚センサ１７ａに基づくｚ方向の変位量、および、第一の力覚センサ１７による外力を入力値とし、（式７）用いて、アーム１１の先端１１ａの位置pR、速度pR’、加速度pR"を算出する。そして、この算出された速度pR’をサーボドライバを介してアクチュエータに出力し、アーム１１の先端１１ａの位置をその算出された位置pRに移動させるようフィードバック制御する。この制御においては、インピーダンス特性の微分方程式を用いているため、(pR−pR0)の項がゼロに近づくようにアーム１１の先端１１ａの位置が移動する。すなわち、スティック１５ａの傾動角度θi（ｉ＝ｘ、ｙ）がゼロとなるようにアーム１１の先端１１ａが動き、これによって、常にスティック１５ａが起立した状態となるように人間の腕の動きに追従する。
【００４０】
このように上記実施の形態によれば、ロボット本体１０に接触する人間の腕や机などから作用する外力に基づいてロボット本体１０をインピーダンス制御する場合に、ロボット本体１０側に第一の力覚センサ１７と変位検出センサ１５を設けるとともに、人間の手側に感圧フィルムを備えた第二の力覚センサ１７ａを設け、第二の力覚センサ１７ａからの出力値を重力作用方向におけるロボット本体１０と外部環境との相対位置変化とし、第一の力覚センサ１７からの外力と、変位検出センサ１５からの水平方向の相対位置変化とを用いてロボット本体１０をインピーダンス制御するようにしたので、人間の腕や机などをアーム１１に保持させた場合であっても、人間の手によって把持されたスプーンや机などに上向きの力が作用していなければアーム１１を下降制御させることがなくなるので、人間の意思に沿った方向にアーム１１を駆動させることができるようになる。
【００４１】
また、上記実施の形態では、第二の力覚センサ１７ａからの出力値を所定の比例係数で除することによって重力作用方向の変位量を推定し、この値を用いてロボット本体１０をインピーダンス制御するようにしたので、変位検出センサ１５におけるｚ方向の振れを小さくして人間の腕を安定して支持させた場合であっても、適確にロボット本体１０をインピーダンス制御することができる。
【００４２】
また、上記実施の形態では、手袋１７０の指の先端に第二の力覚センサ１７ａを取り付けるようにしたので、把持しようとするすべての移動対象物に第二の力覚センサ１７ａを取り付けておく必要がなく、手袋１７０などを装着するだけでどのような移動対象物をも移動させることができるようになる。
【００４３】
なお、本発明は上記実施の形態に限定されることなく、種々の態様で実施することができる。
【００４４】
例えば、上記実施の形態では、第二の力覚センサ１７ａを手袋１７０の先端に取り付けるようにしているが、これに限らず、指サックの先端などに取り付けるようにしてもよい。また、人間の手や指にあらかじめ取り付けておく場合に限らず、移動対象物にあらかじめ第二の力覚センサ１７ａを取り付けておくようにしてもよい。この場合、手袋１７０に感圧フィルムを取り付ける場合と同様に、移動対象物の把持部分の表裏に感圧フィルムを取り付けておき、この出力値をロボット本体１０もしくはインピーダンス制御装置２０に出力できるようにしておく。
【００４５】
また、上記実施の形態では、第二の力覚センサ１７ａからの出力値を出力線を介してロボット本体１０に出力するようにしているが、実際に作業を行う場合は、その出力線が邪魔になって作業に支障を来すおそれがある。このような場合は、無線でその出力値をインピーダンス制御装置２０に出力できるようにしてもよい。
【００４６】
更に、上記実施の形態では、手で机などを運搬する場合に、人差指から小指までの４本の指を下側にして使うことを想定しているが、実際には、高所の物を持ち上げる場合などのように、これとは逆の方向で手を使う可能性がある。このため、手袋１７０にその向きを検出するセンサを取り付けておき、その向きに応じてｚ方向の出力値を検出できるようにしてもよい。
【００４７】
また、上記実施の形態では、第二の力覚センサ１７ａは、式６のpR0を修正する働き、すなわち、インピーダンス制御におけるバネが働く平衡点の位置を修正する働きをしているが、この第二の力覚センサ１７ａは感圧フィルムだけでなく、単なるスイッチによっても構成することができる。この場合、スイッチが押下（ＯＮ状態）されている時間だけ、その平行位置を移動させるように制御するとよい。
【図面の簡単な説明】
【００４８】
【図１】本実施の形態における第一の使用形態を示すロボットの全体図
【図２】同形態における第二の使用形態を示すロボットの全体図
【図３】同形態におけるアームの先端の検出機構の拡大図
【図４】図３における切欠断面図
【図５】同形態における保持部材を変位させた状態を示す図
【図６】同形態におけるインピーダンス制御装置の機能ブロック図
【図７】同形態における制御線図
【符号の説明】
【００４９】
１・・・ロボット
１０・・・ロボット本体
１１・・・アーム
１１ａ・・・アームの先端
１２・・・検出機構
１３・・・保持部材
１３ａ・・・湾曲部材
１３ｂ・・・ベース部材
１３ｃ・・・第一窓部
１３ｄ・・・線材
１３ｅ・・・架橋部材
１４・・・ケーシング
１４ａ・・・スペーサ
１４ｂ・・・第二窓部
１４ｃ・・・衝撃緩和部材
１５・・・変位検出センサ
１５ａ・・・スティック
１５ｂ・・・切欠溝
１６・・・摩擦低減手段
１７・・・第一の力覚センサ
１７ａ・・・第二の力覚センサ
【図１】
0004578365.tif 000002
【図２】
0004578365.tif 000003
【図３】
0004578365.tif 000004
【図４】
0004578365.tif 000005
【図５】
0004578365.tif 000006
【図６】
0004578365.tif 000007
【図７】
0004578365.tif 000008